(57)【要約】【課題】イベントが継続している時間帯に撮影された映像データを簡便に特定することが可能な映像データ配信装置を提供する。【解決手段】プレイリスト作成部１６は、複数のセグメントデータに分割された映像データを記憶装置１２から取得し、アラームが示す時間に対応するセグメントデータを再生するためのプレイリストを作成し、送受信部１８はプレイリストを再生装置５０に送信する。また、プレイリスト作成部１６は、アラームの時間よりも前の時間のセグメントデータ及び後の時間のセグメントデータのうちの少なくとも一方の取得要求を再生装置５０から受けた場合、取得要求の対象となるセグメントデータとアラームが示す時間に対応するセグメントデータとを再生するための新たなプレイリストを作成し、送受信部１８は新たなプレイリストを再生装置５０に送信する。【選択図】図１
2014155190.tif 000002
【特許請求の範囲】
【請求項１】
イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するプレイリスト作成手段と、
プレイリストを送信する送信手段と、
を有し、
前記プレイリスト作成手段は、アラームが示す時間に対応するセグメントデータよりも前の時間のセグメントデータ及び後の時間のセグメントデータのうちの少なくとも一方の取得要求を通信回線を介して再生装置から受けた場合、アラームが示す時間に対応するセグメントデータと前記取得要求の対象となるセグメントデータとを再生するための新たなプレイリストを作成し、
前記送信手段は新たなプレイリストを送信する、
ことを特徴とする映像データ配信装置。
【請求項２】
請求項１に記載の映像データ配信装置であって、
前記プレイリスト作成手段は、アラームが示す時間に対応するセグメントデータよりも前の時間のセグメントデータ及び後の時間のセグメントデータのうちの少なくとも一方を、前記イベントの種類に応じて選択し、アラームが示す時間に対応するセグメントデータと前記選択されたセグメントデータとを再生するためのプレイリストを作成する、
ことを特徴とする映像データ配信装置。
【請求項３】
請求項１又は請求項２に記載の映像データ配信装置であって、
前記プレイリスト作成手段は、前記映像データに複数のアラームが含まれている場合、各アラームに対応するイベント毎にプレイリストを作成し、各イベントに対応するプレイリストを結合し、
前記送信手段は、前記結合されたプレイリストを送信する、
ことを特徴とする映像データ配信装置。
【請求項４】
映像データ配信装置と、通信回線を介して前記映像データ配信装置に接続された再生装置と、を備えた映像データ配信システムであって、
前記映像データ配信装置は、
イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するプレイリスト作成手段と、
プレイリストを前記再生装置に送信する送信手段と、を有し、
前記再生装置は、プレイリストに従ってセグメントデータを前記映像データ配信装置から受信して映像を再生し、アラームが示す時間に対応するセグメントデータよりも前の時間のセグメントデータ及び後の時間のセグメントデータのうちの少なくとも一方の取得要求を前記映像データ配信装置に送信し、
前記プレイリスト作成手段は、前記取得要求を前記再生装置から受けた場合、アラームが示す時間に対応するセグメントデータと前記取得要求の対象となるセグメントデータとを再生するための新たなプレイリストを作成し、
前記送信手段は新たなプレイリストを前記再生装置に送信する、
ことを特徴とする映像データ配信システム。
【請求項５】
請求項４に記載の映像データ配信システムであって、
前記プレイリスト作成手段は、アラームが示す時間に対応するセグメントデータよりも前の時間のセグメントデータ及び後の時間のセグメントデータのうちの少なくとも一方を、前記イベントの種類に応じて選択し、アラームが示す時間に対応するセグメントデータと前記選択されたセグメントデータとを再生するためのプレイリストを作成する、
ことを特徴とする映像データ配信システム。
【請求項６】
請求項４又は請求項５に記載の映像データ配信システムであって、
前記プレイリスト作成手段は、前記映像データに複数のアラームが含まれている場合、各アラームに対応するイベント毎にプレイリストを作成し、各イベントに対応するプレイリストを結合し、
前記送信手段は、前記結合されたプレイリストを前記再生装置に送信する、
ことを特徴とする映像データ配信システム。
【請求項７】
請求項４から請求項６のいずれか一項に記載の映像データ配信システムであって、
前記プレイリスト作成手段は、アラームが示す時間に対応するセグメントデータよりも前の時間のセグメントデータ及び後の時間のセグメントデータが前記再生装置によって指定されていない場合、アラームが示す時間に対応するセグメントデータと後の時間のセグメントデータとを再生するための新たなプレイリストを作成する、
ことを特徴とする映像データ配信システム。
【請求項８】
請求項４から請求項７のいずれか一項に記載の映像データ配信システムであって、
前記再生装置は、プレイリストに従って映像を再生しているときに、取得対象となるセグメントデータの指定をユーザから受け付けなかった場合、再生中のセグメントデータよりも後の時間のセグメントデータの取得要求を前記映像データ配信装置に送信する、
ことを特徴とする映像データ配信システム。
【請求項９】
請求項４から請求項７のいずれか一項に記載の映像データ配信システムであって、
前記再生装置は、プレイリストに従って映像を再生しているときに、取得対象となるセグメントデータの指定をユーザから受け付けなかった場合、プレイリストに従って映像を繰り返し再生する、
ことを特徴とする映像データ配信システム。
【請求項１０】
請求項４から請求項７のいずれか一項に記載の映像データ配信システムであって、
前記再生装置は、プレイリストに従った再生が終了した場合、新たなセグメントデータの取得要求を前記映像データ配信装置に送信する、
ことを特徴とする映像データ配信システム。
【請求項１１】
請求項４から請求項１０のいずれか一項に記載の映像データ配信システムであって、
前記再生装置は、前記後の時間のセグメントデータの取得要求を前記映像データ配信装置に送信して新たなプレイリストを受信した場合、新たなプレイリストのうち前記後の時間のセグメントデータのみを再生する、
ことを特徴とする映像データ配信システム。
【請求項１２】
請求項４から請求項１０のいずれか一項に記載の映像データ配信システムであって、
前記再生装置は、前記映像データ配信装置から新たなプレイリストを受信した場合、新たなプレイリストに新たに追加されたセグメントデータ以外のセグメントデータを早送りで再生する、
ことを特徴とする映像データ配信システム。
【請求項１３】
請求項４から請求項１０のいずれか一項に記載の映像データ配信システムであって、
前記再生装置は、セグメントデータを時間的に逆方向に再生する、
ことを特徴とする映像データ配信システム。
【請求項１４】
コンピュータに、
イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するステップと、
プレイリストを送信するステップと、
アラームが示す時間に対応するセグメントデータよりも前の時間のセグメントデータ及び後の時間のセグメントデータのうちの少なくとも一方の取得要求を通信回線を介して再生装置から受けた場合、アラームが示す時間に対応するセグメントデータと前記取得要求の対象となるセグメントデータとを再生するための新たなプレイリストを作成するステップと、
新たなプレイリストを送信するステップと、
を実行させることを特徴とするプログラム。
【発明の詳細な説明】
【技術分野】
【０００１】
本発明は、イベントが映された映像データを配信する映像データ配信装置、映像データ配信システム及びプログラムに関する。
【背景技術】
【０００２】
監視カメラで取得された映像データから、特定のイベント（事象）が発生した時間の映像データを再生する場合がある。例えば、長時間の監視映像データから、居室内への人の侵入や放置物の滞留等のイベントが発生した時間の映像データを特定して再生したい場合がある。
【０００３】
従来においては、外部からのトリガや映像解析等を利用することで、確認すべきイベントが発生した瞬間の時刻を映像データとともに記録し、その時刻の映像データを再生できるようにしたものが知られている。
【０００４】
また、特許文献１には、映像データを符号化処理する際にデータ分割処理を行うことで複数の部分映像データを生成し、さらに部分映像データのメタデータを生成し、部分映像データとメタデータとを送信する方法が開示されている。
【０００５】
また、特許文献２には、イベントの発生が無い時に撮影されたイベント前映像と、イベント発生時のライブ映像であるイベント後映像とを、イベント発生時刻を境に切り替えて連続したストリームにして配信するシステムが開示されている。
【０００６】
また、特許文献３には、トリガイベントの発生を検出し、トリガイベント発生前後の映像とトリガイベントの発生のタイミングに関する情報とを関連付ける方法が開示されている。
【先行技術文献】
【特許文献】
【０００７】
【特許文献１】特開２００３−１３４４３５号公報
【特許文献２】特開２００７−２５１６４６号公報
【特許文献３】特開２００８−１７８００９号公報
【発明の概要】
【発明が解決しようとする課題】
【０００８】
ところで、イベントはある程度の時間に亘って継続することが一般的であるので、上記のようにイベントが発生した瞬間の時刻を映像データとともに記録するだけでは、イベントが継続している時間帯に撮影された映像（例えばイベントの開始時点から終了時点までの範囲の映像）を特定することができない。そのため、映像の範囲の特定は最終的には人が行う必要があり、この特定作業には閲覧者の煩雑な操作が伴う。例えば、映像の巻き戻し等を閲覧者が繰り返して行うことでイベントの有無を確認し、イベントが継続している時間帯の映像を特定する必要があった。また、上記の特許文献１−３に記載の発明によっても、イベントが継続している時間帯の映像を特定することは容易ではない。
【０００９】
本発明の目的は、イベントが継続している時間帯に取得された映像データを簡便に特定することが可能な映像データ配信装置、映像データ配信システム及びプログラムを提供することである。
【課題を解決するための手段】
【００１０】
請求項１に記載の発明は、イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するプレイリスト作成手段と、プレイリストを送信する送信手段と、を有し、前記プレイリスト作成手段は、アラームが示す時間に対応するセグメントデータよりも前の時間のセグメントデータ及び後の時間のセグメントデータのうちの少なくとも一方の取得要求を通信回線を介して再生装置から受けた場合、アラームが示す時間に対応するセグメントデータと前記取得要求の対象となるセグメントデータとを再生するための新たなプレイリストを作成し、前記送信手段は新たなプレイリストを送信する、ことを特徴とする映像データ配信装置である。
【００１１】
請求項２に記載の発明は、請求項１に記載の映像データ配信装置であって、前記プレイリスト作成手段は、アラームが示す時間に対応するセグメントデータよりも前の時間のセグメントデータ及び後の時間のセグメントデータのうちの少なくとも一方を、前記イベントの種類に応じて選択し、アラームが示す時間に対応するセグメントデータと前記選択されたセグメントデータとを再生するためのプレイリストを作成する、ことを特徴とする。
【００１２】
請求項３に記載の発明は、請求項１又は請求項２に記載の映像データ配信装置であって、前記プレイリスト作成手段は、前記映像データに複数のアラームが含まれている場合、各アラームに対応するイベント毎にプレイリストを作成し、各イベントに対応するプレイリストを結合し、前記送信手段は、前記結合されたプレイリストを送信する、ことを特徴とする。
【００１３】
請求項４に記載の発明は、映像データ配信装置と、通信回線を介して前記映像データ配信装置に接続された再生装置と、を備えた映像データ配信システムであって、前記映像データ配信装置は、イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するプレイリスト作成手段と、プレイリストを前記再生装置に送信する送信手段と、を有し、前記再生装置は、プレイリストに従ってセグメントデータを前記映像データ配信装置から受信して映像を再生し、アラームが示す時間に対応するセグメントデータよりも前の時間のセグメントデータ及び後の時間のセグメントデータのうちの少なくとも一方の取得要求を前記映像データ配信装置に送信し、前記プレイリスト作成手段は、前記取得要求を前記再生装置から受けた場合、アラームが示す時間に対応するセグメントデータと前記取得要求の対象となるセグメントデータとを再生するための新たなプレイリストを作成し、前記送信手段は新たなプレイリストを前記再生装置に送信する、ことを特徴とする映像データ配信システムである。
【００１４】
請求項５に記載の発明は、請求項４に記載の映像データ配信システムであって、前記プレイリスト作成手段は、アラームが示す時間に対応するセグメントデータよりも前の時間のセグメントデータ及び後の時間のセグメントデータのうちの少なくとも一方を、前記イベントの種類に応じて選択し、アラームが示す時間に対応するセグメントデータと前記選択されたセグメントデータとを再生するためのプレイリストを作成する、ことを特徴とする。
【００１５】
請求項６に記載の発明は、請求項４又は請求項５に記載の映像データ配信システムであって、前記プレイリスト作成手段は、前記映像データに複数のアラームが含まれている場合、各アラームに対応するイベント毎にプレイリストを作成し、各イベントに対応するプレイリストを結合し、前記送信手段は、前記結合されたプレイリストを前記再生装置に送信する、ことを特徴とする。
【００１６】
請求項７に記載の発明は、請求項４から請求項６のいずれか一項に記載の映像データ配信システムであって、前記プレイリスト作成手段は、アラームが示す時間に対応するセグメントデータよりも前の時間のセグメントデータ及び後の時間のセグメントデータが前記再生装置によって指定されていない場合、アラームが示す時間に対応するセグメントデータと後の時間のセグメントデータとを再生するための新たなプレイリストを作成する、ことを特徴とする。
【００１７】
請求項８に記載の発明は、請求項４から請求項７のいずれか一項に記載の映像データ配信システムであって、前記再生装置は、プレイリストに従って映像を再生しているときに、取得対象となるセグメントデータの指定をユーザから受け付けなかった場合、再生中のセグメントデータよりも後の時間のセグメントデータの取得要求を前記映像データ配信装置に送信する、ことを特徴とする。
【００１８】
請求項９に記載の発明は、請求項４から請求項７のいずれか一項に記載の映像データ配信システムであって、前記再生装置は、プレイリストに従って映像を再生しているときに、取得対象となるセグメントデータの指定をユーザから受け付けなかった場合、プレイリストに従って映像を繰り返し再生する、ことを特徴とする。
【００１９】
請求項１０に記載の発明は、請求項４から請求項７のいずれか一項に記載の映像データ配信システムであって、前記再生装置は、プレイリストに従った再生が終了した場合、新たなセグメントデータの取得要求を前記映像データ配信装置に送信する、ことを特徴とする。
【００２０】
請求項１１に記載の発明は、請求項４から請求項１０のいずれか一項に記載の映像データ配信システムであって、前記再生装置は、前記後の時間のセグメントデータの取得要求を前記映像データ配信装置に送信して新たなプレイリストを受信した場合、新たなプレイリストのうち前記後の時間のセグメントデータのみを再生する、ことを特徴とする。
【００２１】
請求項１２に記載の発明は、請求項４から請求項１０のいずれか一項に記載の映像データ配信システムであって、前記再生装置は、前記映像データ配信装置から新たなプレイリストを受信した場合、新たなプレイリストに新たに追加されたセグメントデータ以外のセグメントデータを早送りで再生する、ことを特徴とする。
【００２２】
請求項１３に記載の発明は、請求項４から請求項１０のいずれか一項に記載の映像データ配信システムであって、前記再生装置は、セグメントデータを時間的に逆方向に再生する、ことを特徴とする。
【００２３】
請求項１４に記載の発明は、コンピュータに、イベントの発生時間を示すアラームが含まれ複数のセグメントデータに分割された映像データを記憶装置から取得し、前記複数のセグメントデータのうちアラームが示す時間に対応するセグメントデータを再生するためのプレイリストを作成するステップと、プレイリストを送信するステップと、アラームが示す時間に対応するセグメントデータよりも前の時間のセグメントデータ及び後の時間のセグメントデータのうちの少なくとも一方の取得要求を通信回線を介して再生装置から受けた場合、アラームが示す時間に対応するセグメントデータと前記取得要求の対象となるセグメントデータとを再生するための新たなプレイリストを作成するステップと、新たなプレイリストを送信するステップと、を実行させることを特徴とするプログラムである。
【発明の効果】
【００２４】
本発明によると、閲覧者の煩雑な作業を必要とせずに、イベントが継続している時間帯に取得された映像データを簡便に特定することが可能となる。
【図面の簡単な説明】
【００２５】
【図１】本発明の実施形態に係る映像データ配信システムの一例を示すブロック図である。
【図２】映像データ及びセグメントデータの一例を示す図である。
【図３】プレイリストの一例を示す図である。
【図４】本実施形態に係る映像データ配信装置による動作の一例を示すフローチャートである。
【図５】本実施形態に係る再生装置による動作の一例を示すフローチャートである。
【図６】本実施形態に係る映像データ配信システムの動作の一例を示すシーケンス図である。
【図７】動作例１を説明するための図であり、映像データ及びプレイリストの一例を示す図である。
【図８】動作例２を説明するための図であり、映像データ及びプレイリストの一例を示す図である。
【図９】複数のイベントが映された映像データの一例を示す図である。
【発明を実施するための形態】
【００２６】
図１に、本発明の実施形態に係る映像データ配信システムの一例を示す。本実施形態に係る映像データ配信システム１は、映像データ配信装置１０と再生装置５０とを含む。映像データ配信装置１０と再生装置５０とは、例えばＬＡＮやＷＡＮ等のネットワークＮ（通信回線）を介して接続されている。なお、図１には１つの再生装置５０のみが示されているが、複数の再生装置５０がネットワークＮに接続されていてもよい。映像データ配信装置１０は、記憶装置１２と、分割部１４と、プレイリスト作成部１６と、送受信部１８とを備えている。
【００２７】
記憶装置１２には映像データが記憶されている。一例として、記憶装置１２には、ビル等の建物に設置された監視カメラによって取得された映像データが記憶されている。映像データにはイベント発生時間情報が付帯されており、そのイベント発生時間情報は、その映像データを取得した監視カメラの撮影エリア内でイベントが発生した日時を示す。イベント発生時間情報は、人の指示によって手動で映像データに付帯されてもよいし、センサによってイベントを検知した場合には自動で映像データに付帯されてもよいし、画像処理によって映像データを解析することでイベントを検知した場合には自動で映像データに付与されてもよい。イベント発生時間情報を手動で映像データに付帯させる場合、映像データを再生し、閲覧者が映像データを見ることでイベントの有無を判断し、イベント発生時間情報の付帯の指示を与えることが考えられる。一方、イベント発生時間情報を自動で映像データに付帯させる場合、監視カメラ自体又は監視カメラ周辺に温度センサや人感センサ等のセンサを設けておき、センサによってイベントが検知された日時を示す情報を、イベント発生時間情報として映像データに付帯させることが考えられる。例えば温度センサを用いる場合、感知エリアの温度が設定値以上となった日時を示す情報を、イベント発生時間情報として映像データに付帯させる。人感センサを用いる場合、感知エリア内に入った人間を検知した日時を示す情報を、イベント発生時間情報として映像データに付帯させる。また、映像データには、イベントの種類を示すイベント識別情報が付帯されていてもよい。イベントには、例えば、建物内への人の侵入や放置物の滞留等がある。イベント識別情報は、人の指示によって手動で映像データに付帯されてもよいし、映像解析等の処理によってイベントの種類を特定した場合には自動で映像データに付帯されてもよい。また、複数の監視カメラによって撮影する場合、映像データには、当該映像データを取得した監視カメラを識別するためのカメラ識別情報が付帯されていてもよい。イベント発生時間情報、イベント識別情報及びカメラ識別情報は、映像データ配信装置１０にて映像データに付帯されてもよいし、別の画像処理装置等にて映像データに付帯されてもよい。なお、イベント発生時間情報がアラームの一例に相当する。
【００２８】
分割部１４は映像データを記憶装置１２から読み込み、映像データを単位時間長さの複数のセグメントデータに分割する。または、分割部１４は、映像データをファイルサイズで分割し、時間の情報を映像データに別途所持させてもよい。例えば図２に示すように、分割部１４は、時刻００：００〜０１：４０の間の映像データ１００を受け、映像データ１００を１０秒間隔（単位時間）で分割することで、再生時間が１０秒間の複数のセグメントデータ１１０を生成する。図２に示す例では、分割によって１０個のセグメントデータ１１０（セグメントデータＡ〜Ｊ）が生成されている。以下の説明では、分割後の各セグメントデータ１１０を、セグメントデータＡ〜Ｊと称する場合がある。なお、図２に示す例では単位時間の長さを１０秒間としているが、この長さは一例であり、１０秒以外の長さを単位時間としてもよい。なお、映像データ配信装置１０以外の別の装置にて映像データが複数のセグメントデータに分割され、複数のセグメントデータに分割された状態の映像データが、記憶装置１２に予め記憶されていてもよい。この場合、映像データ配信装置１０に分割部１４を設けなくてもよい。
【００２９】
プレイリスト作成部１６は、映像データ１００（セグメントデータ１１０）を再生するためのプレイリストを作成する。ここでは、ＨＬＳ（ＨＴＴＰ  Ｌｉｖｅ  Ｓｔｒｅａｍｉｎｇ）を利用したデータ配信システムを例にして説明する。プレイリストは、一例として、各セグメントデータ１１０を指し示すＵＲＩ（Ｕｎｉｆｏｒｍ  Ｒｅｓｏｕｒｃｅ  Ｉｄｅｎｔｉｆｉｅｒ）の一覧や、各セグメントデータ１１０の格納場所を示すアドレスの一覧である。図３にプレイリストの一例を示す。図３に示すプレイリスト２００には、一例として、セグメントデータＡ〜Ｊを指し示すＵＲＩが記述されている。
【００３０】
本実施形態では、プレイリスト作成部１６は、イベント発生時間情報（以下、「アラーム」と称する）が示す時間を含む時間帯のセグメントデータ（以下、「アラームに対応するセグメントデータ」と称する）を特定し、特定したセグメントデータを再生するためのプレイリストを作成する。例えば、プレイリスト作成部１６は、特定したセグメントデータのＵＲＩが記述されたプレイリストを作成する。これにより、当該特定されたセグメントデータが再生範囲となる。
【００３１】
また、プレイリスト作成部１６は、アラームに対応するセグメントデータよりも前の時間のセグメントデータ及び後の時間のセグメントデータのうちの少なくとも一方の追加要求を再生装置５０から受けた場合、追加要求対象のセグメントデータとアラームに対応するセグメントデータとを再生するための新たなプレイリストを作成する。例えば、プレイリスト作成部１６は、追加要求対象のセグメントデータのＵＲＩと、アラームに対応するセグメントデータのＵＲＩとが記述されたプレイリストを作成する。これにより、追加要求対象のセグメントデータとアラームに対応するセグメントデータとが、再生範囲となる。
【００３２】
送受信部１８は、ネットワークＮを介してプレイリストを再生装置５０に送信する。また、送受信部１８は、プレイリストの取得要求やセグメントデータの追加要求等を、ネットワークＮを介して再生装置５０から受信する。
【００３３】
なお、映像データが記憶されている記憶装置１２は、映像データ配信装置１０に設けられていてもよいし、映像データ配信装置１０以外の別の装置であって映像データを配信する装置に設けられていてもよい。記憶装置１２が映像データ配信装置１０に設けられている場合、送受信部１８は、再生装置５０からのアクセスに応じてセグメントデータを再生装置５０に送信する。
【００３４】
再生装置５０は、例えば図示しない表示部、送受信部及びユーザーインターフェース等を備えている。再生装置５０は、ネットワークＮを介してプレイリストを映像データ配信装置１０から受信する。また、再生装置５０は、プレイリストに記述されているＵＲＩや格納場所等に基づき、ネットワークＮを介してセグメントデータにアクセスし、当該セグメントデータを受信して映像を再生する。記憶装置１２が映像データ配信装置１０に設けられている場合、再生装置５０は、映像データ配信装置１０にアクセスし、記憶装置１２に記憶されているセグメントデータを取得する。一方、記憶装置１２が映像データ配信装置１０以外の別の配信装置に設けられている場合、再生装置５０は、当該別の配信装置にアクセスし、記憶装置１２に記憶されているセグメントデータを取得する。閲覧者は、再生装置５０によって再生される映像を見ることでイベントを確認することができる。
【００３５】
次に、図４に示すフローチャートを参照して、映像データ配信装置１０の動作の一例を説明する。
【００３６】
まず、監視カメラによって映像データが取得されると、当該映像データは記憶装置１２に記憶される。分割部１４は記憶装置１２から映像データを読み込み、映像データを複数のセグメントデータに分割する（Ｓ０１）。次に、プレイリスト作成部１６は、セグメントデータのうち、アラームに対応するセグメントデータを特定し（Ｓ０２）、特定したセグメントデータのＵＲＩが記述されたプレイリストを作成する（Ｓ０３）。そして、送受信部１８は、プレイリストを再生装置５０に送信する（Ｓ０４）。その後、映像データ配信装置１０は待機し、セグメントデータの追加を行わない場合（Ｓ０５，Ｎｏ）、処理は終了する。例えば、所定時間経過してもセグメントデータの追加要求が再生装置５０から映像データ配信装置１０に送信されなかった場合や、セグメントデータの追加完了の通知が再生装置５０から映像データ配信装置１０に送信された場合、セグメントデータの追加が行われないことになる。一方、前方の時間及び後方の時間のうちの少なくとも一方のセグメントデータの追加要求が再生装置５０から映像データ配信装置１０に送信された場合（Ｓ０５，Ｙｅｓ）、プレイリスト作成部１６は、追加要求対象のセグメントデータを追加し（Ｓ０６）、当該追加されたセグメントデータのＵＲＩを既に作成されたプレイリストに記述することで新たなプレイリストを作成する（Ｓ０３）。そして、送受信部１８は新たなプレイリストを再生装置５０に送信する（Ｓ０４）。以降、ステップＳ０３〜Ｓ０６の処理を繰り返し実行する。
【００３７】
次に、図５に示すフローチャートを参照して、再生装置５０の動作の一例を説明する。まず、再生装置５０はプレイリストを映像データ配信装置１０から取得する（Ｓ１０）。例えば、閲覧者が、イベント識別情報が示すイベントに基づき、映像の閲覧を希望する撮影日時、撮影カメラ、撮影場所又はチャンネル等の閲覧希望条件を特定し、再生装置５０のユーザーインターフェースを用いることで閲覧希望条件を指定すると、再生装置５０は、閲覧希望条件に合致するプレイリストの取得要求を映像データ配信装置１０に送信し、プレイリストを映像データ配信装置１０から取得する。再生装置５０は、プレイリストに記述されているＵＲＩに従ってセグメントデータにアクセスし、セグメントデータを受信し（Ｓ１１）、当該セグメントデータの映像を再生する（Ｓ１２）。そして、閲覧者は、再生されているセグメントデータの映像を見ながら、セグメントデータの追加の有無を判定する（Ｓ１３）。セグメントデータを追加する場合、閲覧者は、例えば再生装置５０のユーザーインターフェースを用いることで、再生されているセグメントデータの前の時間及び後の時間のうちの少なくとも一方のセグメントデータの追加を指示する。一方、セグメントデータを追加しない場合、閲覧者は、再生装置５０のユーザーインターフェースを用いることで、セグメントデータの追加処理の完了を指示する。セグメントデータを追加する場合（Ｓ１４，Ｙｅｓ）、再生装置５０は、セグメントデータの追加要求を映像データ配信装置１０に送信し（Ｓ１６）、その追加要求に対応する新たなプレイリストを映像データ配信装置１０から取得する（Ｓ１０）。以降、ステップＳ１０〜Ｓ１６の処理を繰り返し実行する。一方、セグメントデータを追加しない場合（Ｓ１４，Ｎｏ）、再生装置５０は、追加処理の完了を映像データ配信装置１０に送信する（Ｓ１５）。または、所定時間が経過しても閲覧者から何も入力が無い場合、再生装置５０は、追加処理の完了を映像データ配信装置１０に送信してもよい。また別の例として、所定時間が経過しても閲覧者から何も入力が無い場合、再生装置５０は、セグメントデータの追加要求を映像データ配信装置１０に送信してもよいし、再生中のセグメントデータの映像を繰り返し再生してもよい。例えば、所定時間が経過しても閲覧者から何も入力が無い場合、再生装置５０は、映像が尻切れ状態であると判定し、後の時間のセグメントデータの追加要求を映像データ配信装置１０に送信してもよい。
【００３８】
（動作例１）
次に、図６に示すシーケンス図及び図７を参照して、映像データ配信システムの動作の一例（動作例１）を説明する。例えば図７に示すように、映像データ１００は、分割部１４によって複数のセグメントデータ１１０（セグメントデータＡ〜Ｊ）に分割されて記憶装置１２に記憶されているものとする。また、セグメントデータＤの途中時刻からセグメントデータＦの途中時刻に亘ってイベント３１０が発生し、イベント３１０の開始時刻を示すアラーム３１１が映像データ１００に設定されているものとする。開始時刻にアラームが発生するイベントの例としては、建物や部屋等への「人の侵入」がある。例えば、人感センサによって人を感知する場合、感知エリアに侵入したタイミングで人感センサが人を感知するので、イベント（人の侵入）の開始時刻にアラームが設定されることがある。一方、閲覧者がアラームを設定する場合も、人が建物等のエリアに侵入したタイミングでイベントの発生を指示することが考えられるので、イベントの開始時刻にアラームが設定されることがある。
【００３９】
まず、閲覧者が再生装置５０を用いることで、映像の閲覧を希望する撮影日時や撮影カメラ等の閲覧希望条件を指定すると、再生装置５０は、その閲覧希望条件に合致するプレイリストの取得要求を映像データ配信装置１０に送信する（Ｓ２０）。映像データ配信装置１０のプレイリスト作成部１６は、プレイリストの取得要求を再生装置５０から受けると、閲覧希望条件に合致する映像データ１００に基づいてプレイリストを作成する。プレイリスト作成部１６は、例えば、閲覧希望条件が示す撮影日や撮影カメラによって撮影された映像データ１００を対象にしてプレイリストを作成する。図７に示す例では、プレイリスト作成部１６は、映像データ１００に設定されたアラーム３１１を検出し（Ｓ２１）、セグメントデータＡ〜Ｊのうち、アラーム３１１に対応するセグメントデータＤを特定し（Ｓ２２）、セグメントデータＤのＵＲＩが記述されたプレイリスト２１１を作成する（Ｓ２３）。そして、送受信部１８はプレイリスト２１１を再生装置５０に送信する（Ｓ２４）。
【００４０】
再生装置５０はプレイリスト２１１を受信し、プレイリスト２１１に記述されているＵＲＩに従ってセグメントデータＤにアクセスし、セグメントデータＤを受信し（Ｓ２５）、セグメントデータＤの映像を再生する（Ｓ２６）。そして、閲覧者は、再生されているセグメントデータＤの映像を見ながら、セグメントデータの追加の有無を判定する（Ｓ２７）。図７に示す例では、セグメントデータＤの開始時刻にはイベント３１０は発生しておらず、イベント３１０の始点（先頭）はセグメントデータＤに表されている。一方、イベント３１０の終点（末尾）はセグメントデータＤに表されておらず映像は尻切れの状態となっているため、閲覧者は、再生装置５０のユーザーインターフェースを用いることで、セグメントデータＤよりも後の時間のセグメントデータＥの追加を要求することが考えられる。閲覧者がセグメントデータＥの追加を指示すると、再生装置５０は、セグメントデータＥの追加要求（判定結果）を映像データ配信装置１０に送信する（Ｓ２８）。
【００４１】
映像データ配信装置１０は再生装置５０から判定結果を受信し、当該判定結果に応じた処理を行う（Ｓ２９）。セグメントデータＥの追加要求が再生装置５０から映像データ配信装置１０に送信された場合、プレイリスト作成部１６は、セグメントデータＤ，ＥのＵＲＩが記述された新たなプレイリスト２１２を作成する（Ｓ２３）。そして、送受信部１８は、新たなプレイリスト２１２を再生装置５０に送信する（Ｓ２４）。このように、セグメントデータの追加要求がなされると、プレイリストが更新されることになる。
【００４２】
再生装置５０はプレイリスト２１２を受信し、プレイリスト２１２に従ってセグメントデータＤ，Ｅを受信し（Ｓ２５）、セグメントデータＤ，Ｅの映像を再生する（Ｓ２６）。そして、閲覧者は、再生されているセグメントデータＤ，Ｅの映像を見ながら、セグメントデータの追加の有無を判定する（Ｓ２７）。図７に示す例では、セグメントデータＥにおいてイベント３１０は継続中であり映像は尻切れの状態であるため、閲覧者は、セグメントデータＥよりも後の時間のセグメントデータＦの追加を要求することが考えられる。閲覧者がセグメントデータＦの追加を指示すると、再生装置５０は、セグメントデータＦの追加要求（判定結果）を映像データ配信装置１０に送信する（Ｓ２８）。
【００４３】
なお、再生対象のセグメントデータが複数あり、映像が尻切れの状態になっていると閲覧者が判定した場合、再生装置５０は、複数のセグメントデータのうち末尾のセグメントデータのみを再生するようにしてもよい。例えば、再生装置５０は、セグメントデータＤ，Ｅのうち末尾のセグメントデータＥのみを再生するようにしてもよい。イベント３１０の始点（先頭）はセグメントデータＤに映されているので、再生範囲の先頭は確認済みといえる。これに対して、イベント３１０の終点（末尾）はセグメントデータＤに映されていないため、末尾に新たに追加されたセグメントデータＥのみを再生することで、より迅速にイベントの終点を確認することができる。または、再生装置５０は、セグメントデータＤを早送りして再生し、セグメントデータＥを通常の速さで再生してもよい。これによっても、より迅速にイベントの終点を確認することができる。また、プレイリスト作成部１６は、セグメントデータＥのみのプレイリストを作成してもよい。これにより、新たに追加された末尾のセグメントデータＥのみが再生装置５０にて再生されることになるため、より迅速にイベントの終点を確認することができる。
【００４４】
プレイリスト作成部１６は、セグメントデータＦの追加要求を再生装置５０から受けると、セグメントデータＤ，Ｅ，ＦのＵＲＩが記述された新たなプレイリスト２１３を作成する（Ｓ２３）。そして、送受信部１８は、新たなプレイリスト２１３を再生装置５０に送信する（Ｓ２４）。
【００４５】
再生装置５０はプレイリスト２１３を受信し、プレイリスト２１３に従ってセグメントデータＤ，Ｅ，Ｆを受信し（Ｓ２５）、セグメントデータＤ，Ｅ，Ｆの映像を再生する（Ｓ２６）。そして、閲覧者は、再生されているセグメントデータＤ，Ｅ，Ｆの映像を見ながら、セグメントデータの追加の有無を判定する（Ｓ２７）。この場合、上記のように、再生装置５０は、末尾のセグメントデータＦのみを再生してもよいし、セグメントデータＤ，Ｅを早送りで再生してもよい。または、プレイリスト作成部１６は、セグメントデータＦのみのプレイリストを作成してもよく、この場合、新たに追加された末尾のセグメントデータＦのみが再生装置５０にて再生される。図７に示す例では、セグメントデータＦの途中でイベント３１０が終了しているため、閲覧者は、セグメントデータの追加処理の完了を指示することが考えられる。閲覧者が追加処理の完了を指示すると、再生装置５０は、追加処理の完了（判定結果）を映像データ配信装置１０に送信する（Ｓ２８）。映像データ配信装置１０は、追加処理完了の通知を再生装置５０から受信すると、プレイリスト作成処理を終了する（Ｓ２９）。
【００４６】
なお、閲覧者は、一度に複数のセグメントデータの追加を要求してもよい。例えば、セグメントデータＤのＵＲＩのみが記述されたプレイリスト２１１が再生されている場合、閲覧者は、セグメントデータＥ，Ｆの追加要求を一度に行ってもよい。この場合、プレイリスト作成部１６は、セグメントデータＤ，Ｅ，ＦのＵＲＩが記述された新たなプレイリスト２１３を作成し、送受信部１８は、新たなプレイリスト２１３を再生装置５０に送信する。そして、再生装置５０は、新たなプレイリスト２１３に従ってセグメントデータを再生する。
【００４７】
以上のように、映像データ１００をセグメントデータＡ〜Ｊに分割し、アラーム３１１を基準にしてプレイリストを作成し、閲覧者の要望に応じてセグメントデータ単位で再生範囲を変えることで、閲覧者の煩雑な作業を必要とせずに、イベント３１０が撮影された時間帯の映像データを簡便に特定して再生することが可能となる。すなわち、閲覧者は、映像データの巻き戻し等を繰り返すことなく、閲覧を希望する映像データの範囲を簡便に特定して再生することが可能となる。従来であれば、映像データ１００の全体を再生装置５０にて再生し、閲覧者が映像データ１００の巻き戻し等を繰り返すことで、イベント３１０が映し出された映像の範囲を特定する必要があったが、本実施形態に係る映像データ配信装置１０によると、そのような煩わしい操作を行わなくても、イベント３１０が映し出された映像を特定することができる。例えば、イベント３１０が「人の侵入」であり、イベント３１０の開示時刻のみにアラーム３１１が設定されている場合であっても、イベント３１０の開始時刻から終了時刻までの範囲を含む必要最小限の映像データを簡便に特定して再生することが可能となる。このように、閲覧者による検索作業を軽減することができる点からして、映像データ配信装置１０は、閲覧者による検索作業を支援する機能を備えているともいえる。
【００４８】
（動作例２）
次に、図６に示すシーケンス図及び図８を参照して、映像データ配信システムの別の動作例（動作例２）を説明する。動作例２では、例えば図８に示すように、セグメントデータＤの途中時刻からセグメントデータＦの途中時刻に亘ってイベント３２０が発生し、イベント３２０の途中時刻を示すアラーム３２１が映像データ１００に設定されているものとする。途中時刻にアラームが発生するイベントの例としては、「放置物の滞留（物の放置）」がある。例えば、センサによって物の放置を検知する場合、感知エリアに物が搬入されて物の移動が止まったタイミング（滞留したタイミング）で、センサが物の放置を感知するので、イベント（物の放置）の途中時刻にアラームが設定されることがある。閲覧者がアラームを設定する場合も、物が建物等のエリアに搬入されて物の移動が止まったタイミングでイベントの発生を指示することが考えられるので、イベントの途中時刻にアラームが設定されることがある。
【００４９】
まず、動作例１と同様に、再生装置５０は、プレイリストの取得要求を映像データ配信装置１０に送信する（Ｓ２０）。図８に示す例では、プレイリスト作成部１６は、映像データ１００に設定されたアラーム３２１を検出し（Ｓ２１）、セグメントデータＡ〜Ｊのうち、アラーム３２１に対応するセグメントデータＥを特定し（Ｓ２２）、セグメントデータＥのＵＲＩが記述されたプレイリスト２２１を作成する（Ｓ２３）。そして、送受信部１８は、プレイリスト２２１を再生装置５０に送信する（Ｓ２４）。
【００５０】
再生装置５０はプレイリスト２２１を受信し、プレイリスト２２１に従ってセグメントデータＥを受信し（Ｓ２５）、セグメントデータＥの映像を再生する（Ｓ２６）。そして、閲覧者は、セグメントデータの追加の有無を判定する（Ｓ２７）。図８に示す例では、セグメントデータＥの開始時刻ではイベント３２０は既に発生しており、イベント３２０の始点（先頭）はセグメントデータＥに表されていない。すなわち、映像は頭切れの状態となっている。そのため、閲覧者は、セグメントデータＥよりも前の時間のセグメントデータＤの追加を要求することが考えられる。また、イベント３２０の終点（末尾）もセグメントデータＥに表されておらず映像は尻切れの状態となっているため、閲覧者は、セグメントデータＥよりも後の時間のセグメントデータＦの追加を要求することが考えられる。ここでは一例として、閲覧者がセグメントデータＤの追加を要求する場合について説明するが、セグメントデータＥの追加を要求してもよく、また、セグメントデータＤ，Ｅ両方の追加を一度に要求してもよい。閲覧者がセグメントデータＤの追加を指示すると、再生装置５０は、セグメントデータＤの追加要求（判定結果）を映像データ配信装置１０に送信する（Ｓ２８）。なお、映像が頭切れの状態になっていると閲覧者が判定した場合、再生装置５０は、再生中のセグメントデータＥを時間的に逆方向に再生（逆再生）してもよい。これにより、閲覧者は、映像が頭切れの状態になっているのか否かを、容易に確認することが可能となる。
【００５１】
プレイリスト作成部１６は、セグメントデータＤの追加要求を再生装置５０から受けると、セグメントデータＤ，ＥのＵＲＩが記述された新たなプレイリスト２２２を作成する（Ｓ２３）。そして、送受信部１８は新たなプレイリスト２２２を再生装置５０に送信する（Ｓ２４）。
【００５２】
再生装置５０はプレイリスト２２２を受信し、プレイリスト２２２に従ってセグメントデータＤ，Ｅを受信し（Ｓ２５）、それらの映像を再生する（Ｓ２６）。そして、閲覧者は、セグメントデータの追加の有無を判定する（Ｓ２７）。図８に示す例では、イベント３２０の始点（先頭）はセグメントデータＤに表されているが、イベント３２０の終点（末尾）はセグメントデータＥに表されていない。そのため、閲覧者は、セグメントデータＥよりも後の時間のセグメントデータＦの追加を要求することが考えられる。閲覧者がセグメントデータＦの追加を指示すると、再生装置５０は、セグメントデータＦの追加要求（判定結果）を映像データ配信装置１０に送信する（Ｓ２８）。プレイリスト作成部１６は、セグメントデータＤ，Ｅ，ＦのＵＲＩが記述された新たなプレイリスト２２３を作成する（Ｓ２３）。そして、送受信部１８は、新たなプレイリスト２２３を再生装置５０に送信する（Ｓ２４）。
【００５３】
再生装置５０はプレイリスト２２３を受信し、プレイリスト２２３に従ってセグメントデータＤ，Ｅ，Ｆを受信し（Ｓ２５）、それらの映像を再生する（Ｓ２６）。そして、閲覧者は、セグメントデータの追加の有無を判定する。（Ｓ２７）。図８に示す例では、セグメントデータＦの途中でイベント３２０が終了しているため、閲覧者は、セグメントデータの追加処理の完了を指示することが考えられる。閲覧者が追加処理の完了を指示すると、再生装置５０は、追加処理の完了（判定結果）を映像データ配信装置１０に送信し（Ｓ２８）、映像データ配信装置１０はプレイリスト作成処理を終了する（Ｓ２９）。
【００５４】
動作例２においても、動作例１と同様に、閲覧者の煩雑な作業を必要とせずに、イベント３２０が撮影された時間帯の映像データを簡便に特定して再生することが可能となる。例えば、イベント３２０が「物の放置」であり、イベント３２０の途中時刻のみにアラーム３２１が設定されている場合であっても、イベント３２０の開始時刻から終了時刻までの範囲を含む必要最小限の映像データを簡便に特定して再生することが可能となる。
【００５５】
（複数のイベントが存在する場合）
上述した動作例１，２においては、映像データ１００に１つのイベント（イベント３１０又は３２０）が映されている場合について説明したが、複数のイベントが映されている場合であっても、映像データ配信装置１０は、各イベントについてプレイリストを作成して再生装置５０に送信することができる。例えば図９に示すように、映像データ１００に２つのイベント（イベント３３０，３４０）が映されている場合、映像データ配信装置１０は、イベント３３０，３４０のそれぞれに対応するプレイリストを作成して再生装置５０に送信する。そして、イベント３３０，３４０のそれぞれについて再生範囲が確定された場合、映像データ配信装置１０は、イベント３３０，３４０のそれぞれのプレイリストを１つに纏めて再生装置５０に送信する。図９に示す例では、プレイリスト作成部１６は、アラーム３３１を基準にしてセグメントデータＢのＵＲＩが記述されたプレイリストを作成し、閲覧者の要望によってセグメントデータＣを追加し、セグメントデータＢ，ＣのＵＲＩが記述されたプレイリストを作成する。さらに、プレイリスト作成部１６は、アラーム３４１を基準にしてセグメントデータＧのＵＲＩが記述されたプレイリストを作成し、閲覧者の要望によってセグメントデータＦ，Ｈを追加し、セグメントデータＦ，Ｇ，ＨのＵＲＩが記述されたプレイリストを作成する。そして、イベント３３０，３４０のそれぞれについてセグメントデータの追加処理が完了して再生範囲が確定した場合、プレイリスト作成部１６は、イベント３３０用のプレイリストとイベント３４０用のプレイリストとを合成し、セグメントデータＢ，Ｃ，Ｆ，Ｇ，ＨのＵＲＩが記述されたプレイリストを作成する。これにより、アラーム３３１，３４１に対応するセグメントデータＢ，Ｇ、及び、閲覧者によって指定されたセグメントデータＣ，Ｆ，Ｈのみが再生されるプレイリストが作成されることになる。すなわち、イベントが映されているセグメントデータのみが再生されるプレイリストが作成されることになる。合成後のプレイリストを再生装置５０にて再生すると、イベントが映されているセグメントデータＢ，Ｃ，Ｆ，Ｇ，Ｈのみが再生されるので、複数のイベントが映像データ１００に映されている場合であっても、閲覧者は必要な範囲のみを再生してイベントの内容を迅速に確認することが可能となる。
【００５６】
また、１つのイベントの再生範囲を特定したら、自動的に次のイベントの再生範囲を特定するようにしてもよい。例えば、プレイリスト作成部１６は、時間が相対的早いアラーム３３１に対応するイベント３３０についてのプレイリストを先に作成し、次に、時間が相対的に遅いアラーム３４１に対応するイベント３４０についてのプレイリストを作成するようにしてもよい。
【００５７】
（イベントの種類に応じた処理）
また、映像データにイベント識別情報が付帯されている場合、プレイリスト作成部１６は、再生装置５０から追加要求され得るセグメントデータを、イベント識別情報が示すイベントの種類に応じて決定し、アラームに対応するセグメントデータと当該決定されたセグメントデータとを再生するためのプレイリストを作成してもよい。すなわち、プレイリスト作成部１６は、アラームに対応するセグメントデータよりも前の時間のセグメントデータ及び後の時間のセグメントデータのうちの少なくとも一方を、イベントの種類に応じて選択し、アラームに対応するセグメントデータと選択されたセグメントデータとを再生するためのプレイリストを作成する。
【００５８】
例えば図７に示す動作例１においては、イベント３１０は「人の侵入」であるため、「人の侵入」を示すイベント識別情報が映像データ１００に付帯されていることがある。イベントが「人の侵入」の場合、アラームの後にイベントが継続すると推定されるため、プレイリスト作成部１６は、アラームに対応するセグメントデータＤとともに、その後の時間のセグメントデータＥについてもプレイリストに追加してもよい。結果として、プレイリスト作成部１６は、セグメントデータＤ，ＥのＵＲＩが記述されたプレイリスト２１２を作成して再生装置５０に送信する。
【００５９】
また、図８に示す動作例２においては、イベント３２０は「物の放置」であるため、「物の放置」を示すイベント識別情報が映像データ１００に付帯されていることがある。イベントが「物の放置」の場合、アラームの前後にイベントが継続すると推定されるため、プレイリスト作成部１６は、アラームに対応するセグメントデータＥとともに、その前後の時間のセグメントデータＤ，Ｆについてもプレイリストに追加してもよい。結果として、プレイリスト作成部１６は、セグメントデータＤ，Ｅ，ＦのＵＲＩが記述されたプレイリスト２２３を作成して再生装置５０に送信する。
【００６０】
以上のように、イベントの種類に応じたプレイリストを作成することで、閲覧者によるセグメントデータの追加の手間を省くことができるため、イベントに応じた再生範囲をより簡便に特定することが可能となる。
【００６１】
（自動的にセグメントデータを追加する場合）
また、別の例として、再生装置５０にてプレイリストの再生が終了した場合、映像データ配信装置１０は、自動的にセグメントデータを追加して新たなプレイリストを再生装置５０に送信してもよい。この場合、閲覧者が再生装置５０にて追加処理の停止を指示すると、映像データ配信装置１０は、セグメントデータの自動追加の処理を停止する。例えばプレイリストの再生が終了すると、再生装置５０は、その終了の通知を映像データ配信装置１０に送信する。プレイリスト作成部１６は、その終了の通知を受けると、再生装置５０に既に送信されたプレイリストに、新たなセグメントデータのＵＲＩを追加することで新たなプレイリストを作成する。例えば、プレイリスト作成部１６は、先頭のセグメントデータよりも前の時間のセグメントデータ、及び、末尾のセグメントデータよりも後の時間のセグメントデータのうち、少なくとも一方のセグメントデータのＵＲＩが記述された新たなプレイリストを作成する。例えば、自動的に追加する時間の方向を、閲覧者が予め設定しておいてもよい。新たなプレイリストは再生装置５０に送信され、当該新たなプレイリストに従ってセグメントデータが再生されることになる。このように、自動でセグメントデータを追加して再生することで、イベントに対応する再生範囲をより簡便に特定して再生することができる。
【００６２】
（再生装置５０による再生範囲の変更）
上述した実施形態では、映像データ配信装置１０がプレイリストを作成して再生装置５０に送信する場合について説明したが、再生装置５０が、セグメントデータ単位で再生範囲を変えてもよい。この場合、複数のセグメントデータＡ〜Ｊに分割された状態の映像データ１００が再生装置５０に入力され、再生装置５０は、まず、アラームに対応するセグメントデータを再生する。そして、閲覧者からの追加要求がある場合、再生装置５０は、追加要求対象のセグメントデータを追加して再生する。このように再生装置５０が再生範囲を変える処理を行った場合も、閲覧者による煩雑な作業を必要とせずに、イベントに対応する再生範囲を簡便に特定して再生することができる。
【００６３】
上述した映像データ配信装置１０は図示しないＣＰＵ等のプロセッサを備えている。プロセッサは、図示しないメモリに記憶されたプログラムを実行することにより、分割部１４、プレイリスト作成部１６及び送受信部１８のそれぞれの機能を実現する。上記プログラムは、ＣＤやＤＶＤ等の記録媒体を介して又はネットワーク等の通信回線を介してハードディスクドライブ（ＨＤＤ）等の記憶装置に記憶される。なお、上記プログラムはハードディスクドライブ等の記憶装置に予め記憶されていてもよい。ハードディスクドライブ等の記憶装置に記憶されたプログラムがＲＡＭ等のメモリに読み出されてＣＰＵ等のプロセッサによって実行されることにより、分割部１４、プレイリスト作成部１６及び送受信部１８のそれぞれの機能が実現される。また、再生装置５０は、図示しないＣＰＵ等のプロセッサと、図示しないメモリとを備えている。例えばハードディスクドライブ等の記憶装置に記憶されたプログラムがＲＡＭ等のメモリに読み出されてＣＰＵ等のプロセッサによって実行されることにより、再生装置５０の機能が実現される。
【符号の説明】
【００６４】
１  映像データ配信システム、１０  映像データ配信装置、１２  記憶装置、１４  分割部、１６  プレイリスト作成部、１８  送受信部、５０  再生装置。
【図１】
2014155190.tif 000003
【図２】
2014155190.tif 000004
【図３】
2014155190.tif 000005
【図４】
2014155190.tif 000006
【図５】
2014155190.tif 000007
【図６】
2014155190.tif 000008
【図７】
2014155190.tif 000009
【図８】
2014155190.tif 000010
【図９】
2014155190.tif 000011